(57)【要約】【課題】ジャッキ及び脚立として使用することができ、ジャッキ使用時に安定性が高く、倒壊した構造物の奥に挿入することができる災害救助ジャッキ付き脚立を提供する。【解決手段】災害ジャッキ付き脚立は、２本の縦材２１とこれら２本の縦材２１の間にその両端を固定して設けられた複数の横桟２２とからなる一対の梯子部の頭部同士を回転自在且つ着脱自在に連結できる脚立において、前記２本の縦材２１の間に設けられている横桟２２のうち最上部の横桟が２本の縦材２１の上端を接近離反方向へ移動可能なジャッキ部４からなり、下端側の横桟２２の少なくとも一端側が２本の縦材２１のいずれかに回転自在に連結されてなり、これら最上部と下端側の横桟２２の中間に設けられた横桟２２は２本の縦材２１の双方又は一方に着脱自在である。【選択図】図１
2008266941.tif 000002
【特許請求の範囲】
【請求項１】
２本の縦材とこれら２本の縦材の間にその両端を固定して設けられた複数の横桟とからなる一対の梯子部の頭部同士を回転自在且つ着脱自在に連結できる脚立において、
前記２本の縦材の間に設けられている横桟のうち最上部の横桟が２本の縦材の上端を接近離反方向へ移動可能なジャッキ部からなり、下端側の横桟の少なくとも一端側が２本の縦材のいずれかに回転自在に連結されてなり、これら最上部と下端側の横桟の中間に設けられた横桟は２本の縦材の双方又は一方に着脱自在であることを特徴とする災害救助ジャッキ付き脚立。
【請求項２】
前記縦材のうち少なくとも１本の縦材の下端は、側方に突出していることを特徴とする請求項１に記載の災害救助ジャッキ付き脚立。
【請求項３】
前記一対の梯子部の頭部同士を相互に略１８０度の角度に開いた状態で保持可能な保持手段を具備することを特徴とする請求項１又は請求項２に記載の災害救助ジャッキ付き脚立。
【発明の詳細な説明】
【技術分野】
【０００１】
本発明は、脚立に関し、特に、災害時の救助活動に用いることができるジャッキが備えられた脚立に関する。
【背景技術】
【０００２】
地震などの災害時には、周辺住民などによる初期救助活動がきわめて大きな効果を発揮する。このような初期救助活動においては、救助用具として、従来から、脚立、車載のジャッキ、バール、のこぎり、ハンマ等の日常使用する工具が用いられている。上述のような工具は、日常生活で用いられるものであるので、広く普及しており、早急に入手しやすい。また、日常生活で操作されるものであるので、マニュアルなどを必要とせずに、直感的に使用方法が理解できる。更に、普段から使用されているので、メンテナンスが行き届いており、いつでも利用することができる。更にまた、人力で駆動でき、動力源を必要としないものであり、使用場所を限定されることがない。そして、小型且つ軽量であるので、救助現場への運搬や倒壊家屋内での取り扱いが容易である。
【０００３】
例えば、脚立は日常生活において、庭木の剪定や内装工事、装置の点検等の高所で作業する場合に用いられ、２本の縦材とそれらの間に架設された複数の横桟とを有する一対の梯子部の上端同士を開閉自在に連結したものが一般的に知られている。このような脚立は、災害時において、高所から人を救助する場合などに用いることができる（例えば特許文献１参照）。
【０００４】
また、ジャッキは、通常、自動車に搭載されており、自動車のタイヤ交換などに用いられるが、地震などの災害時には、倒壊した構造物を地面から持ち上げることにより、下敷きになった人を救出する用途に用いられている。特に近年では、災害時の救助の際に、倒壊した構造物をより簡単に持ち上げることができるジャッキが、種々提案されている（例えば特許文献２参照）。
【特許文献１】特開２００６−３１２８６７号公報
【特許文献２】特開平１０−１０１２９７号公報
【発明の開示】
【発明が解決しようとする課題】
【０００５】
しかし、災害時において上述のジャッキが使用される場所は水平な場所ばかりではなく、凹凸のある地面や傾斜地などの不安定な場所に載置して使用しなければならない場合も多い。そして、このような不安定な場所での使用では、構造物をジャッキアップしたジャッキが倒れて、ジャッキの操作者が構造物と地面との間に挟まれてしまう二次災害のおそれがある。特に、従来のジャッキは、ジャッキアップする際に構造物の１点のみを支えており、ジャッキアップした構造物がジャッキで支えた点を軸に上下に揺動するので、より不安定となる。
【０００６】
また、地面と倒壊した構造物との間に上述のジャッキを挿入する際に、操作者がジャッキ本体を持って挿入することとなるので、操作者は倒壊した構造物に近接して救助作業をしなければならないので、構造物が予期せずに更に倒壊した場合に非常に危険である。また、ジャッキを設置する場所は操作者に近接した位置に限られるため、倒壊した構造物の奥の方にジャッキを設置することは困難であり、ジャッキが有効に使用できない場合も多い。
【０００７】
そこで、本発明は、ジャッキ及び脚立として使用することができ、ジャッキ使用時に安定性が高く、操作者から離れた位置にジャッキを設置することができ、倒壊した構造物などのジャッキアップする対象物の奥のほうにジャッキを挿入することができる災害救助ジャッキ付き脚立を提供することを目的とする。
【課題を解決するための手段】
【０００８】
上記目的を達成するために請求項１の災害救助ジャッキ付き脚立は、２本の縦材とこれら２本の縦材の間にその両端を固定して設けられた複数の横桟とからなる一対の梯子部の頭部同士を回転自在且つ着脱自在に連結できる脚立において、前記２本の縦材の間に設けられている横桟のうち最上部の横桟が２本の縦材の上端を接近離反方向へ移動可能なジャッキからなり、下端側の横桟の少なくとも一端側が２本の縦材のいずれかに回転自在に連結されてなり、これら最上部と下端側の横桟の中間に設けられた横桟は２本の縦材の双方又は一方に着脱自在であることを特徴とするものである。
【０００９】
請求項２に記載の災害救助ジャッキ付き脚立は、請求項１に記載の災害救助ジャッキ付き脚立であって、前記縦材のうち少なくとも１本の縦材の下端は、側方に突出していることを特徴とするものである。
【００１０】
請求項３に記載の災害救助ジャッキ付き脚立は、請求項１又は請求項２に記載の災害救助ジャッキ付き脚立であって、前記一対の梯子部の頭部同士を相互に略１８０度の角度に開いた状態で保持可能な保持手段を具備することを特徴とするものである。
【発明の効果】
【００１１】
請求項１の発明によれば、災害救助ジャッキ付き脚立は、２本の縦材とこれら２本の縦材の間にその両端を固定して設けられた複数の横桟とからなる一対の梯子部の頭部同士を回転自在且つ着脱自在に連結できる脚立である。そして、前記２本の縦材の間に設けられている横桟のうち最上部の横桟が２本の縦材の上端を接近離反方向へ移動可能なジャッキで構成されている。したがって、梯子部を所定の角度に開いて固定することで、脚立として好適に使用することができるとともに、縦材の上端を接近させてジャッキアップ対象物と地面の間に差し込んで、縦材の上端を離反させることで、ジャッキとして使用することができる。
【００１２】
また、ジャッキ部は一対の梯子部の２本の縦材の間にそれぞれ架設されているので、２本の縦材の下端付近を把持してジャッキ部を移動させ操作することができる。すなわち、災害救助ジャッキ付き脚立を使用するときに、操作者から離れた位置にジャッキ部を設置することができる。したがって、例えば、ジャッキアップする対象物と地面との間が狭い場合に、狭い間隙の奥のほうをジャッキアップするときに、縦材の下端付近を持ってジャッキ部を間隙に挿入することができるので、従来ジャッキを設置することが困難であった狭い間隙の奥のほうにジャッキ部を安全に設置することができる。また、倒壊のおそれがあるジャッキアップ対象物をジャッキアップする際に、操作者がジャッキアップ対象物から離れたより安全な位置からジャッキアップ操作をすることができる。
【００１３】
また、一対ある梯子部の上端はそれぞれジャッキ部が架設されているので、２つのジャッキ部を用いてジャッキアップすることができ、ジャッキアップする対象物を２点で支えてジャッキアップできる。したがって、１つのジャッキでジャッキアップする場合に比べて、より安定してジャッキアップ作業をすることができる。
【００１４】
請求項２の発明によれば、災害救助ジャッキ付き脚立は少なくとも１本の縦材の下端が
側方に突出しているので、例えば地面との間にジャッキを挿入する隙間がない構造物を持ち上げる場合に、地面と構造物との間に、縦材の下端の突出部分を差し込んで、挿入した突出部分と反対側に縦材を倒すことで、上部の構造物を押し上げることができる。
【００１５】
請求項３の発明によれば、災害救助ジャッキ付き脚立は、一対の梯子部の頭部同士を相互に略１８０度の角度に開いた状態で保持可能な保持手段を具備するので、一対の梯子部を開いて一直線とした状態を保持することができ、脚立の２倍の長さの梯子として使用することができる。
【発明を実施するための最良の形態】
【００１６】
以下、図面を参照しつつ、本発明の災害救助ジャッキ付き脚立の実施形態について説明する。
【００１７】
本実施形態の災害救助ジャッキ付き脚立１は、図１に示すように、１対の梯子部２、開閉連結部３、及び、１対のジャッキ部４を具備し、脚立、梯子、ジャッキ、及び、バールとして用いることができるものである。一対の梯子部２の上端には、それぞれパンタグラフ型のジャッキ部４が設けられており、最上部の横桟を形成している。そして、ジャッキ部４が設けられた梯子部２の上端は更に開閉連結部３が着脱自在に固定されている。災害救助ジャッキ付き脚立１を脚立又は梯子として用いる場合には、一対の梯子部２の上端を開閉連結部３によって、相互に連結した状態で使用する。一方、災害救助ジャッキ付き脚立１をジャッキとして使用する場合には、一対の梯子部２の上端から開閉連結部３を取り外して、一対の梯子部２を分離した状態で使用する。以下、各構成の詳細について説明する。
【００１８】
まず、災害救助ジャッキ付き脚立１の一対の梯子部２について、図１及び図２を参照しつつ説明する。一対の梯子部２を構成する各梯子は、図１に示すように、断面コの字形状の２本の細長い縦材２１と、縦材２１の開口する側面に挿入できる太さの３本の横桟２２と、縦材２１の下端に固定され縦材２１の長手方向と略垂直となる方向に楔形に突出した形状のバール部２３と、脚立使用時に所定の角度に開いた脚立の開閉角度を保持するための長板状の開閉保持具２４と、開閉保持具２４の先端に形成された切欠き２９が嵌着される嵌合突起２５と、を備える。
【００１９】
２本の縦材２１は開口する側面を対面させ、相互に横桟２２を架け渡すための所定の間隔を開けて平行に配設されている。そして、この２本の縦材２１の間に縦材２１に対して略垂直に３本の横桟２２がほぼ等しい間隔を開けて架設されている。また、この２本の縦材の上端には、最上部の横桟を構成するジャッキ部４が架設されている。
【００２０】
最も下側に配置された横桟とジャッキ部４との間には、２本の横桟２２が設置されており、この２本の横桟２２の一端は、図２（Ａ）に示すように、２本の縦材２１のうち一方の縦材２１に取付けられた回転軸２６により回動自在に軸着されている。そして、横桟２２の他端は他方の縦材２１のコの字状の溝に設けられた板材２７に載置されている。載置された横桟２２の上面付近には、縦材２１を貫通するボルト状のストッパ２８が設けられており、横桟２２は他方の縦材２１に着脱自在となっている。このストッパ２７はボルト及びナットから構成されており、縦材２１に挿通した状態でボルトにナットを螺嵌させることで固定し、ボルトからナットを外して縦材２１からボルトを引き抜くことで離脱させることができる。ストッパ２８を縦材２１から離脱させると、板材２６に載置された横桟２２は、縦材２１ａに設けられた軸を中心に上方へ揺動可能となる。また、最下部の横桟２２は、図２（Ｂ）に示すように、その両端が２本の縦材２１に取付けられた回転軸２６に揺動自在に軸着されている。
【００２１】
２本の縦材２１の下端には、図１に示すように、それぞれバール部２３が例えば溶接により固着されている。バール部２３の上面は縦材２１とほぼ同一の断面形状であり、下面は縦材２１の長手方向に略垂直に突出した楔型の突起２３１が形成されている。そして、一対の梯子部２の一方の梯子部２の一方の縦材２１の開口面と反対側の外側面の所定位置には開閉保持具２４の一端が回動自在に軸着されており、他方の梯子部２の一方の縦材２１の開口面と反対側の外側面の所定位置には開閉保持具２４の他端に設けられた切欠き２９が嵌合される嵌合突起２５が固定されている。
【００２２】
次に、開閉連結部３について、図３を参照しつつ説明する。開閉連結部３は、図３に示すように、２つの同一形状の開閉部材３ａ、３ｂを連結部３１で回動可能に連結して構成されている。開閉部材３ａ、３ｂはそれぞれ、下面が開口した中空の直方体形状の嵌着部３２と、嵌着部３２の直上に配置される天板３３と、嵌着部３２及び天板３３の両側面に固定され、上部が連結部３１に軸支される斜め上方に突出した形状の一対の横枠３４と、を具備する。そして、横枠３４と嵌着部３２とには連通するビス穴３５が設けられており、また、横枠３４の斜め方向に突出した部分には軸孔３６が設けられている。両開閉部材３ａ、３ｂのそれぞれの軸孔３６には連結部３１が挿通されており、両開閉部材３ａ、３ｂはか移動可能に連結されている。なお本発明における「梯子部の頭部」は開閉部材３ａ及び開閉部材３ｂがこれに相当する。
【００２３】
次に、災害救助ジャッキ付き脚立１のジャッキ部４の構成について、図４を参照しつつ説明する。ジャッキ部４は、一対の梯子部２を構成する各梯子部２の２本の縦材２１のうち一方の縦材２１の上端に形成され、ジャッキ使用時に地面に当接してジャッキの土台となる台座部４３と、一対の縦材２１のうち他方の縦材２１の上端に形成され、ジャッキ使用時にジャッキアップする対象物に当接してジャッキの上向きの力を対象物に伝える荷受部４４と、台座部４３と荷受部４４との間に架け渡され中間の屈曲部４２で屈曲可能な２本のアーム部４１と、上側のアーム部４１１の屈曲部４２に回転自在且つ長手方向移動不能であって、下側のアーム部４１２の中間部４２に螺挿されるネジ軸４５と、ネジ軸４５を回転させる操作ハンドル４６と、を有する。
【００２４】
台座部４３は、梯子部２の一方の縦材２１から連なる断面コの字形状の部材であって、アーム部の一端を回動可能に軸支する台座側回動軸４３１、４３２を挿通させている。台座部４３のコの字の開口には２本のアーム部４１の一端が挿入されており、台座側回動軸４３１、４３２のうち脚立使用時に上側となる台座側回動軸４３１は、上側のアーム部４１１の一端に挿通しており、アーム部４１１を回動可能に支持している。また、脚立使用時に下側となる台座側回動軸４３２は、下側のアーム部４１２の一端に挿通しており、下側アーム部４１２を回動可能に支持している。
【００２５】
また、荷受部４４は、梯子部２の他方の縦材２１から連なり、ジャッキアップする対象物と接する面がやや窪んでいる断面略コの字形状の部材であって、アーム部の他端を回動可能に軸支する荷受側回動軸４４１、４４２を挿通させている。荷受部４４のコの字の開口には２本のアーム部４１の他端が挿入されており、脚立使用時に上側となる荷受側回動軸４４１は、上側のアーム部４１１の他端に挿通しており、アーム部４１１を回動可能に支持している。また、脚立使用時に下側となる荷受側回動軸４４２は、下側のアーム部４１２の他端に挿通しており、アーム部４１２を回動可能に支持している。このように２本のアーム部４１は、両端が回動可能に軸支されるとともに、それぞれの屈曲部４２が屈曲可能であるので、中間部４２を屈曲させると側面視略菱形となる。
【００２６】
ネジ軸４５は、図４及び図５に示すように、上側のアーム部４１１の屈曲部４２及び下側のアーム部４１２の屈曲部４２のそれぞれの貫通孔に挿通されている。ネジ軸４５の一方の端部には、直径が貫通孔の直径よりも大きく形成され、ネジ軸４５が屈曲部４２から脱落することを防ぐ第１ストッパ４５１が形成されている。そして、第１ストッパ４５１に隣接して、上側のアーム部４１１の屈曲部４２の貫通孔に挿通される円柱部４５２が設けられ、更に円柱部４５２と隣接する第１ストッパ４５１と反対側には貫通孔よりも大きな直径の第２ストッパ４５３が形成されている。このように形成されることで、ネジ軸４５は上側のアーム部４１１の屈曲部４２に対して回動自在且つ長手方向移動不能となる。更にネジ軸４５は、第２ストッパ４５３から連なるアーム部４１の長さよりも長い螺旋状のネジ部４５４を有しており、このネジ部４５４と下側のアーム部４１２の中間部４２の貫通孔とが螺合している。したがって、ネジ軸４５が回転するとネジ軸が下側のアーム部４１２の中間部４２に対して、ネジ軸４５の長手方向に移動することとなる。ネジ軸４５の他端には、両側面に穴を有するＵ字状の係着金具４５５が固着されている。
【００２７】
操作ハンドル４６は、図６に示すように、一端にネジ軸４５の係着金具４５５の穴に引掛けられる形状の引掛け部４６１を形成した細長い棒状であって、他端は操作ハンドル４６の長手方向を軸として、操作ハンドル４６を回転させるハンドル部４６２が形成されている。なお、ジャッキを使用しないときには、図１０に示すように操作ハンドル４６は、梯子部２の縦材２１及び横桟２２に収納されている。
【００２８】
次に、災害救助ジャッキ付き脚立１を使用する際の作用について説明する。災害救助ジャッキ付き脚立１は梯子又は脚立として使用されるときには、まず、図１及び図７に示すように、ジャッキ部４のアーム部４１を直線状に伸ばした状態で、一対の梯子部２を相互に略平行に配置する。そして、開閉連結部３の両開閉部材３ａ、３ｂの開口にそれぞれ一対の梯子部２を構成する各梯子部２の上部をジャッキ部４ごと挿入する。そして、開閉部材３ａ、３ｂのそれぞれのビス穴３５にビス３７を挿通して、縦材２１の固定穴２１１に螺着させて、一対の梯子部２と開閉連結部３の開閉部材３ａ、３ｂとをそれぞれ固定する。両開閉部材３ａ、３ｂは連結部３１を中心に相互に揺動自在であるので、それぞれの開閉部材３ａ、３ｂに固定された一対の梯子部２も連結部３１を軸として相互に開閉揺動自在となる。
【００２９】
災害救助ジャッキ付き脚立１を脚立として使用する場合には、図８に示すように、上端に開閉連結部３が取付けられた一対の梯子部２を連結部３１を軸として所定の角度まで開く。そして、一対の梯子部２のうち一方の梯子部２の一方の縦材２１に回動自在に固定されている開閉保持具２４を回転させて、他方の梯子部２の他方の縦材２１に固着されている嵌合突起２５に開閉保持具２４の先端に形成された切欠き２９を嵌着させる。これにより、災害救助ジャッキ付き脚立１の側面から見た形状は逆Ｖ字状となり、略水平な地面に安定して載置することができる。
【００３０】
また、災害救助ジャッキ付き脚立１を梯子として使用する場合には、図９及び図１０に示すように上端に開閉連結部３が取付けられた一対の梯子部２を連結部３１を軸として一直線となるように、すなわち梯子部２ａと梯子部２ｂとの間の角度が略１８０度となるように展開させる。そして、開閉連結部３の開閉部材３ａに一端が回動自在に取付けられている係止具３８を回動させて、開閉部材３ｂの所定位置に取付けられている凸部３９に嵌着させる。また、開閉連結部３の開閉部材３ｂに一端が回動可能に取付けられている係止具３７も同様に、開閉部材３ａの所定位置に取付けられている凸部３９に嵌着させる。このように両係止具３８をそれぞれ対応する凸部３９に嵌着することで、一対の梯子部２が相互に直線の状態で固定される。そして、構造物の壁などに斜め向けに立てかけて、梯子として使用することができる。なお、本発明における「保持手段」は本実施形態においては係止具３８及び凸部３９がこれに相当する。
【００３１】
ジャッキを使用する際には、まず一対の梯子部２から開閉連結部３を取り外して、一対の梯子部２を分離する。そして、図１１に示すように、梯子部２の一方の縦材２１に挿入されているストッパ２８を取り外す。このようにすると、梯子部２の横桟２２は他方の縦材２１の回転軸２６を中心にして上方に揺動自在となる。次に、梯子部２の縦材２１及び横桟２２に収納されている操作ハンドル４６を取り出し、操作ハンドル４６の引掛け部４６１をネジ軸４５の係着金具４５５に装着する。そして、操作ハンドル４６のハンドル部４６２を回転操作してネジ軸４５を回転させ、図１２に示すようにジャッキ部４の台座部４３及び荷受部４４が当接するように、アーム部４１の中間部４２を屈曲させる。なお図示しないが、このとき横桟２２は、上方に回動して縦材２１に当接する状態となる。そして、ジャッキアップする対象物と地面との間に台座部４３が地面に接地するようにジャッキ部４を挿入させる。次に、ハンドル部４６２を回動させてネジ軸４５を逆方向に回転させる。これにより、図１３に示すように、台座部４３が接地した状態で、荷受部４４が台座部４３から離れて上方に押し上げられる。したがって、ジャッキアップする対象物も上方に押し上げられることとなる。
【００３２】
災害救助ジャッキ付き脚立１は、ジャッキ部４を２つ備える。すなわち、一対の梯子部２の上端にそれぞれに固定されている。このようにジャッキ部が２つあるので、図１４に示すように、ジャッキアップする対象物の形状や地形などにより、１つのジャッキ部４では安定してジャッキアップできないような場合に２つのジャッキ部４でそれぞれジャッキアップすることができるので、ジャッキアップの対象物の２点を押し上げることができ、より安定して安全にジャッキアップ作業をすることができる。また、ジャッキ部が２つあることで、１つのジャッキ部にかかる負荷を半分にすることができる。
【００３３】
なお、災害救助ジャッキ付き脚立１は、梯子部２の上端にジャッキ部４を備える構造である。したがって、梯子部２の縦材２１の下端付近を把持することで、小さな隙間からジャッキ部４を挿入して、対象物のジャッキアップするのに最適な点を選んでジャッキアップすることができる。また、ジャッキアップする対象物が崩れそうな場合にも縦材２１の長さ分はなれた位置からジャッキ部４を設置し操作することができるので、より安全にジャッキアップ作業を行うことができる。
【００３４】
また、図１５に示すように、一対の梯子部２にはその縦材２１の下端にそれぞれＬ字形状のバール部２３が取付けられているので、図１５に示すように、ジャッキ部４が挿入できないようなものを持ち上げるような場合にもバール部の先端に形成された突起２３１を差し込んで持ち上げることができる。
【産業上の利用可能性】
【００３５】
以上のように、本発明に係る災害救助ジャッキ付き脚立１は、脚立、梯子、ジャッキ、及びバールとして、日常使用することができるとともに、災害時の救助用具として好適に用いることができる。
【図面の簡単な説明】
【００３６】
【図１】災害救助ジャッキ付き脚立１の全体構成を示す斜視図である。
【図２】（Ａ）は図１のＡ部分を拡大し、梯子部２の縦材２１に上側の２本の横桟２２を架設した状態を説明する図であり、（Ｂ）は図１のＢ部分を拡大し、最下部の横桟２２を架設した状態を説明する図である。
【図３】開閉連結部３の構成を示す斜視図である。
【図４】ジャッキ部４の構成を示す斜視図である。
【図５】図４のＣ−Ｃ断面を示す図である。
【図６】操作ハンドル４６が収納された梯子部２の状態を示す斜視図である。
【図７】梯子部２に開閉連結部３を取付けた状態の災害救助ジャッキ付き脚立１を示す図である。
【図８】災害救助ジャッキ付き脚立１を脚立として用いたときの使用状態説明図である。
【図９】災害救助ジャッキ付き脚立１を梯子として用いたときの使用状態説明図である。
【図１０】図９の開閉連結部３のＢ部分の拡大図である。
【図１１】操作ハンドル４６をジャッキ部４に取付けた状態を示す斜視図である。
【図１２】台座部４３と荷受部４４とを当接させた状態のジャッキ部４を示す斜視図である。
【図１３】図１２の状態からジャッキ部４をジャッキアップした状態を示す斜視図。
【図１４】一対のジャッキ部４を両方用いてジャッキアップした状態を示す図。
【図１５】災害救助ジャッキ付き脚立１のバール機能の使用状態説明図である。
【符号の説明】
【００３７】
１  災害救助ジャッキ付き脚立
２  梯子部
３  開閉連結部
４  ジャッキ部
２１  縦材
２２  横桟
２３  バール部
３１  連結部
４１  アーム部
４２  中間部
４３  台座部
４４  荷受部
４５  ネジ軸
４６  操作ハンドル
【図１】
2008266941.tif 000003
【図２】
2008266941.tif 000004
【図３】
2008266941.tif 000005
【図４】
2008266941.tif 000006
【図５】
2008266941.tif 000007
【図６】
2008266941.tif 000008
【図７】
2008266941.tif 000009
【図８】
2008266941.tif 000010
【図９】
2008266941.tif 000011
【図１０】
2008266941.tif 000012
【図１１】
2008266941.tif 000013
【図１２】
2008266941.tif 000014
【図１３】
2008266941.tif 000015
【図１４】
2008266941.tif 000016
【図１５】
2008266941.tif 000017